(57)【要約】      （修正有）【課題】垂直置きのテレビスクリーン面を横になった状態でも気分よく、また、長時間の観賞ができるよう視聴者から見てテレビを右回転、左回転させ映像の上下と視聴者の頭の上下とを合わせる。【解決手段】テレビをホイールの中に固定し、ローラーに載せて回転させるか、又は支持枠に固定し、この支持枠の背面の軸により回転させる。【選択図】図９
2007189652.tif 000002
【特許請求の範囲】
【請求項１】
一般家庭用テレビ（以下、テレビと記す）をホイールの中に入れて固定しローラーに載せて回転させるテレビ垂直回転台。
【請求項２】
テレビを支持枠に固定し、支持枠の背面（＝テレビの背面）にある軸で回転させるテレビ垂直回転台。
【発明の詳細な説明】
【技術分野】
【０００１】  テレビを視聴者の好みの角度に、垂直に回転できるテレビ台に関するものである
【背景技術】
【０００２】  従来のテレビ回転台は視聴者がいる方角、つまり平面を見て東西南北の方向に回転可能なテレビ回転台であった。（図１、図２、図３参照）。またパソコン用ディスプレイの回転台のように東西南北の回転と同時にスクリーン面を前傾、又は後傾、つまり側面を見て右回り、左回りに１０度程度調整可能なものもあった。（図４、図５、図６参照）。
【発明の開示】
【発明が解決しようとする課題】
【０００３】  従来、テレビの観賞は常にテレビの映像（人物像）も垂直、視聴者の頭も垂直で見るのが原則で、たとえ視聴者が横になっていてもなるべく頭を立てて見るか、疲れて頭を横にしたら見づらくてもがまんするというのが現状であった。これは健常者にはよいとしても、体の自由がきかない入院患者や、寝たきりの老人などには不便であった。
【課題を解決するための手段】
【０００４】  本発明はテレビを正面から見て右回り、又は左回りに視聴者の好みに合わせて回転させるものである。
【発明の効果】
【０００５】  テレビを垂直面に回転させ、映像の上下と視聴者の頭の上下を合わせることにより気分よくテレビを観賞できる。回転した直後は違和感があるが数分で慣れ、その後はとても楽である。
【発明を実施するための最良の形態】
【０００６】  以下、本案の実施の形態について説明する。
（図７）は（請求項１）に係るものでテレビを固定ホイール（１）の中に入れ固定し、台座Ａ（３）の上に取り付けたローラー（２）の上に載せるものである。（図８）（図９）は左にそれぞれ４５度、９０度傾けた状態を示す。回転させる動力は常時一方向に固定の場合は手動でもよいが、時々角度を変える場合は電動のギアー式（図１０）、又はワイヤーか、ベルト方式（図１１）とし、リモートコントロール方式とすれば視聴者にとって都合がよい。
（図１２）は（請求項２）に係るものでテレビを支持枠（４）に固定し、（図１３）に示すがごとく台座Ｂ（６）に立てた背面板（５）と１本の軸（７）および、止め具（８）を用いて連結（回転自由）するものである。（図１４）はこの方式により９０度回転した状態を示す。
この方式をわかりやすく説明するためにテレビを除いて示した斜視図が直立時（図１５）、９０度回転時（図１６）である。
この方式も回転させる動力は手動、電動のどちらでもよいが手動は低コストでできるので２例実施例を示す。（図１７、図１８、図１９）は０度から左右９０度まで無段階に調整ができる方式を示し、これを説明すれば支持枠（４）に植立した固定ボルト（９）を背面板に設けた半円弧状のスリット穴を通し固定ノブ（１０）で締め付け固定するものである。
（図２０、図２１、図２２）はある程度の角度をもって段階的に調整するステップ角調整方式用で、支持枠（４）と背面板（５）に設けた固定ピン穴を希望の角度にあわせて固定ピン（１１）を通し角度固定をするものである。
【図面の簡単な説明】
【０００７】
【図１】  従来のテレビ回転台にテレビを載せたときの正面図
【図２】  従来のテレビ回転台にテレビを載せたときの平面図
【図３】  従来のテレビ回転台にてテレビを右回転、および左回転したときの平面図
【図４】  従来のパソコンのディスプレイ台にディスプレイを載せたときの側面図
【図５】  従来のディスプレイ台にてディスプレイを前傾したときの側面図
【図６】  従来のディスプレイ台にてディスプレイを後傾したときの側面図
【図７】  本発明の（請求項１）に係るものにテレビをセットしたときの正面図
【図８】  本発明の（請求項１）の方式でテレビを４５度回転したときの正面図
【図９】  本発明の（請求項１）の方式でテレビを９０度回転したときの正面図
【図１０】  本発明の（請求項１）の場合の駆動方法で電動ギアー方式の部分詳細図
【図１１】  本発明の（請求項１）の場合の駆動方法で電動ワイヤー、またはベルト方式の部分詳細図
【図１２】  本発明の（請求項２）に係るものにテレビをセットしたときの正面図
【図１３】  本発明の（請求項２）に係るものにテレビをセットしたときの側面図
【図１４】  本発明の（請求項２）の方式でテレビを９０度回転したときの正面図
【図１５】  本発明の（請求項２）の方式で直立時の斜視図
【図１６】  本発明の（請求項２）の方式で９０度回転したときの斜視図
【図１７】  本発明の（請求項２）に係る支持枠（４）の正面図（無段階調整用）
【図１８】  本発明の（請求項２）に係る支持枠（４）の側面図（無段階調整用）
【図１９】  本発明の（請求項２）に係る背面板（５）の正面図（無段階調整用）
【図２０】  本発明の（請求項２）に係る支持枠（４）の正面図（ステップ角調整用）
【図２１】  本発明の（請求項２）に係る支持枠（４）の側面図（ステップ角調整用）
【図２２】  本発明の（請求項２）に係る背面板（５）の正面図（ステップ角調整用）
【符号の説明】
【０００８】      １    固定ホイール              １１    固定ピン
２    ローラー
３    台座Ａ
４    支持枠
５    背面板
６    台座Ｂ
７    軸
８    止め具
９    固定ボルト
１０    固定ノブ
【図１】
2007189652.tif 000003
【図２】
2007189652.tif 000004
【図３】
2007189652.tif 000005
【図４】
2007189652.tif 000006
【図５】
2007189652.tif 000007
【図６】
2007189652.tif 000008
【図７】
2007189652.tif 000009
【図８】
2007189652.tif 000010
【図９】
2007189652.tif 000011
【図１０】
2007189652.tif 000012
【図１１】
2007189652.tif 000013
【図１２】
2007189652.tif 000014
【図１３】
2007189652.tif 000015
【図１４】
2007189652.tif 000016
【図１５】
2007189652.tif 000017
【図１６】
2007189652.tif 000018
【図１７】
2007189652.tif 000019
【図１８】
2007189652.tif 000020
【図１９】
2007189652.tif 000021
【図２０】
2007189652.tif 000022
【図２１】
2007189652.tif 000023
【図２２】
2007189652.tif 000024